(57)【要約】【課題】ドアの不要な開閉の低減と安全性の向上とを両立させる。【解決手段】人または物体を検知する起動用検知アルゴリズムによる検知と、前記起動用検知アルゴリズムよりも人または物体を検知し易い保護用検知アルゴリズムによる検知が行われる特殊検知エリアを有し、前記特殊検知エリアにおいて前記起動用検知アルゴリズムおよび前記保護用検知アルゴリズムによるそれぞれの検知結果が自動ドア装置に個別に出力可能に構成されている。【選択図】  図１
2018123673.tif 000002
【特許請求の範囲】
【請求項１】
人または物体を検知する起動用検知手段と、前記起動用検知手段よりも人または物体を検知し易い保護用検知手段とを備え、
前記起動用検知手段および前記保護用検知手段による検知を行う特殊検知エリアを有し、それぞれの検知結果を個別に出力可能な自動ドアセンサ。
【請求項２】
前記起動用検知手段のみによる検知が行われる起動検知エリアを更に有し、前記特殊検知エリアは、前記起動検知エリアよりも前記ドアに近い位置に配置される、請求項１に記載の自動ドアセンサ。
【請求項３】
前記ドアの移動経路上の人または物体を検知するドアウェイ用検知手段を更に備え、前記ドアウェイ用検知手段および前記保護用検知手段による検知を行う第２特殊検知エリアを有し、それぞれの検知結果は個別に又はまとめて出力される、請求項１乃至２のいずれか一項に記載の自動ドアセンサ。
【請求項４】
前記第２特殊検知エリアにおける前記保護用検知手段の検知は前記ドアが全開位置にあるときのみ行われる、請求項３に記載の自動ドアセンサ。
【請求項５】
前記ドアの固定壁部近傍の人または物体を検知する固定壁側検知手段を更に備え、前記固定壁側検知手段および前記保護用検知手段による検知を行う第３特殊検知エリアを有し、それぞれの検知結果は個別に又はまとめて出力される、請求項１乃至４のいずれか一項に記載の自動ドアセンサ。
【請求項６】
前記保護用検知手段による検知において、人または物体を検知してから前記検知された人または物体を静止体と判断して検知対象から除外するまでの静止体検知時間は、前記起動用検知手段による検知における前記静止体検知時間よりも長い、請求項１乃至５のいずれか一項に記載の自動ドアセンサ。
【発明の詳細な説明】
【技術分野】
【０００１】
本発明は、自動ドアセンサに関する。
【背景技術】
【０００２】
自動ドアに用いられる自動ドアセンサには、安全性を確保するため、妥当な検知エリアを設定することが求められる。従来から、自動ドアセンサの検知エリアを設定するための種々の技術が提案されている。例えば、特許文献１では、ドアウェイ上に検知エリアを設定することで、ドアウェイの安全性を向上させる技術が開示されている。
【先行技術文献】
【特許文献】
【０００３】
【特許文献１】特開２００３−３７５０号公報
【発明の概要】
【発明が解決しようとする課題】
【０００４】
自動ドアセンサによる検知には、自動ドアセンサの検知エリアに応じた検知手段（所定のセンサや検出アルゴリズム）が用いられていた。具体的には、通行者を検知してドアを開放するための起動領域を検知する自動ドアセンサには、不要開閉を低減しながらドアを開放するための検知手段が用いられていた。一方、ドアウェイ上等の通行者を保護するための保護領域を検知する自動ドアセンサには、通行者の立ち止まり等を監視するための検知手段が用いられていた。
【０００５】
しかしながら、１台の自動ドアセンサで保護領域と起動領域との双方を検知する場合、保護領域の一部を起動領域として使用せざるを得ず、この場合、保護領域の検知に用いられる検知手段を用いて起動領域の検知を行うことになる。保護領域の検知に用いられる検知手段を用いて起動領域の検知を行うことで、自動ドアやその設置環境の影響により、誤検知が生じて不要な開閉が増加し易くなるといった問題がある。
【０００６】
本発明は、以上の点を考慮してなされたものであり、ドアの不要な開閉の低減と安全性の向上とを両立させることができる自動ドアセンサを提供することを目的とする。
【課題を解決するための手段】
【０００７】
本発明は、人または物体を検知する起動用検知手段と、前記起動用検知手段よりも人または物体を検知し易い保護用検知手段とを備え、前記起動用検知手段および前記保護用検知手段による検知を行う特殊検知エリアを有し、それぞれの検知結果を個別に出力可能な自動ドアセンサである。
【０００８】
本発明による自動ドアセンサにおいて、前記起動用検知手段のみによる検知が行われる起動検知エリアを更に有し、前記特殊検知エリアは、前記起動検知エリアよりも前記ドアに近い位置に配置されていてもよい。
【０００９】
本発明による自動ドアセンサにおいて、前記ドアの移動経路上の人または物体を検知するドアウェイ用検知手段を更に備え、前記ドアウェイ用検知手段および前記保護用検知手段による検知を行う第２特殊検知エリアを有し、それぞれの検知結果は個別に又はまとめて出力されてもよい。
【００１０】
本発明による自動ドアセンサにおいて、前記第２特殊検知エリアにおける前記保護用検知手段の検知は前記ドアが全開位置にあるときのみ行われてもよい。
【００１１】
本発明による自動ドアセンサにおいて、前記ドアの固定壁部近傍の人または物体を検知する固定壁側検知手段を更に備え、前記固定壁側検知手段および前記保護用検知手段による検知を行う第３特殊検知エリアを有し、それぞれの検知結果は個別に又はまとめて出力されてもよい。
【００１２】
本発明による自動ドアセンサにおいて、前記保護用検知手段による検知において、人または物体を検知してから前記検知された人または物体を静止体と判断して検知対象から除外するまでの静止体検知時間は、前記起動用検知手段による検知における前記静止体検知時間よりも長くてもよい。
【発明の効果】
【００１３】
本発明によれば、ドアの不要な開閉の低減と安全性の向上とを両立させることができる。
【図面の簡単な説明】
【００１４】
【図１】本実施形態による自動ドアシステムを示すブロック図である。
【図２】本実施形態による自動ドアセンサの検知エリアを示す鳥瞰図である。
【図３】本実施形態による自動ドアセンサの動作を示すフローチャートである。
【図４】本実施形態による自動ドアセンサの検知・静止体検知時間制御を示すフローチャートである。
【図５】本実施形態による自動ドアセンサの検知・静止体検知時間制御を説明するための説明図である。
【図６】本実施形態の第１の変形例による自動ドアシステムを示すブロック図である。
【図７】本実施形態の第２の変形例による自動ドアシステムを示すブロック図である。
【図８】本実施形態の第３の変形例による自動ドアシステムを示すブロック図である。
【図９Ａ】本実施形態の第４の変形例による自動ドアセンサの全閉時における検知エリアを示す平面図である。
【図９Ｂ】本実施形態の第４の変形例による自動ドアセンサの全開時における検知エリアを示す平面図である。
【図１０Ａ】本実施形態の第５の変形例による自動ドアセンサの全閉時における検知エリアを示す平面図である。
【図１０Ｂ】本実施形態の第５の変形例による自動ドアセンサの全開時における検知エリアを示す平面図である。
【図１１Ａ】本実施形態の第６の変形例による自動ドアセンサの全閉時における検知エリアを示す平面図である。
【図１１Ｂ】本実施形態の第６の変形例による自動ドアセンサの全開時における検知エリアを示す平面図である。
【図１２Ａ】本実施形態の第７の変形例による自動ドアセンサの全閉時における検知エリアを示す平面図である。
【図１２Ｂ】本実施形態の第７の変形例による自動ドアセンサの全開時における検知エリアを示す平面図である。
【図１３Ａ】本実施形態の第８の変形例による自動ドアセンサの戸挟時における検知エリアを示す平面図である。
【図１３Ｂ】本実施形態の第８の変形例による自動ドアセンサの通行時における検知エリアを示す平面図である。
【発明を実施するための形態】
【００１５】
以下、本発明の実施形態に係る自動ドアシステムについて、図面を参照しながら詳細に説明する。なお、以下に示す実施形態は、本発明の実施形態の一例であって、本発明はこれらの実施形態に限定して解釈されるものではない。また、本実施形態で参照する図面において、同一部分または同様な機能を有する部分には同一の符号または類似の符号を付し、その繰り返しの説明は省略する。また、図面の寸法比率は、説明の都合上、実際の比率とは異なる場合があり、また、構成の一部が図面から省略される場合がある。
【００１６】
図１は、本実施形態による自動ドアシステム１を示す図である。図２は、本実施形態による自動ドアセンサ３の検知エリア５を示す鳥瞰図である。図１に示すように、自動ドアシステム１は、自動ドア装置２と自動ドアセンサ３とを備える。自動ドアシステム１は、図２に示すドア２１を通行しようとする人（通行者）や物体を自動ドアセンサ３で検知したとき、ドア２１を開動作させる。
【００１７】
（自動ドア装置２）
自動ドア装置２は、ドア２１と、図２に示す開閉方向ｄ１にドア２１を開閉動作させるための図示しないモータ２２と、自動ドアセンサ３から取得した信号または情報に基づいて前記モータを駆動制御する図示しないドア制御部２３とを備える。図２の例において、２つのドア２１は、引き分けタイプの引戸である。ドア２１の態様は図２の例に限定されず、例えば、片引きタイプの引戸、開き戸、折り戸、グライドドアなどの様々な態様のドアを採用してもよい。
【００１８】
例えば、ドア制御部２３には、自動ドアセンサ３から、後述する有効検知エリア内の通行者の検知に応じた検知信号が入力される。ドア制御部２３は、検知信号の入力に応じてドア２１を開方向に駆動する制御（以下、開駆動制御とも呼ぶ）を行う。
【００１９】
（自動ドアセンサ３）
図２に示すように、自動ドアセンサ３は、ドア２１の通行者を検知するために、無目部２４の中央、より具体的には、全閉状態の２枚のドア２１の境界部の上方に設けられている。自動ドアセンサ３は、天井や無目部２４の下面などの無目部２４以外の場所に設けられていてもよい。
【００２０】
図１に示すように、自動ドアセンサ３は、検知部３１とセンサ制御部３２とを備える。
検知部３１およびセンサ制御部３２は、検知手段の一例である。センサ制御部３２は、検知部３１および自動ドア装置２に接続されている。センサ制御部３２は、例えば、ＣＰＵ、ＲＯＭおよびＲＡＭなどのハードウェアで構成される。センサ制御部３２の少なくとも一部をソフトウェアで構成してもよい。検知部３１は、投光部３１１と受光部３１２とを有する。
【００２１】
センサ制御部３２は、有効検知エリアを有する。有効検知エリアとは、図２に示すように、自動ドアセンサ３を用いて検知可能な領域である検知エリア５のうち、ドア２１の通行者の検知のために設定された少なくとも一部の範囲の領域である。なお、図２は床面６付近における検知エリア５の位置関係を示している。
【００２２】
投光部３１１は、図示しない投光用の光学レンズと、図示しない複数の投光素子を有する。投光部３１１は、複数の投光素子のそれぞれから検知エリア５にパルス状の近赤外光を投光すなわち照射する。受光部３１２は、図示しない受光用の光学レンズと、投光部３１１の複数の投光素子のそれぞれに光学的に対応する図示しない複数の受光素子を有する。受光部３１２は、投光部３１１の複数の投光素子のそれぞれから検知エリア５に投光された近赤外光を複数の受光素子のそれぞれによって受光し、受光素子毎に近赤外光の受光量を検出する。受光部３１２は、検出された受光量を、受光量に応じた信号値を有する検知信号としてセンサ制御部３２に出力する。なお、投光部３１１及び受光部３１２は、近赤外光以外の光を投光および受光してもよい。更に、投光部３１１及び受光部３１２は、投光用および受光用の光学レンズの代わりに別の光学系を用いてもよく、光学レンズを用いなくても構わない。
【００２３】
図２の例において、検知エリア５は、２枚のドア２１の正面においてドア２１の開閉方向ｄ１およびこれに直交する前後方向ｄ２に間隔を空けて配置された複数の小検知エリア５１で構成されている。具体的には、図２において、小検知エリア５１は、６列×１２個の計７２個存在する。
【００２４】
個々の小検知エリア５１は、投光部３１１の複数の投光素子のそれぞれから投光され、受光部３１２の複数の受光素子によってそれぞれ受光される近赤外光の照射スポットに対応している。
【００２５】
図２の例における有効検知エリアは、複数の小検知エリア５１のうち少なくとも１つの小検知エリア５１で構成される。なお、図２の例において、各小検知エリア５１は、円形状を有する。この場合の小検知エリア５１の床面６における直径は、例えば、１０ｃｍから３０ｃｍの間の任意の値に設定することができる。小検知エリア５１は、楕円形状、矩形状および多角形状などの円形状以外の形状を有していてもよい。
【００２６】
複数の小検知エリア５１のうちいずれの小検知エリア５１を有効検知エリアに設定するかについては、具体的な態様は特に限定されない。例えば、有効検知エリアは、自動ドアシステム１の使用開始前に予め設定されてもよい。また、有効検知エリアは、ドア位置等に応じて可変であってもよい。
【００２７】
センサ制御部３２は、投光部３１１の全ての投光素子に、それぞれに対応する小検知エリア５１に向けて近赤外光を投光させる。そして、センサ制御部３２は、受光部３１２の全ての受光素子に、各小検知エリア５１からの近赤外光の反射光をそれぞれ受光させる。
そして、センサ制御部３２は、受光部３１２から入力された小検知エリア５１毎の検知信号のうち、有効検知エリアの検知信号を抽出する。
【００２８】
そして、センサ制御部３２は、抽出された有効検知エリアの検知信号に基づいて、後述する起動用検知アルゴリズムや保護用検知アルゴリズムにしたがって通行者や物体を検知する。通行者等の検知において、センサ制御部３２は、例えば、自動ドアセンサ３の電源投入直後の有効検知エリアの検知信号の信号値（すなわち、受光量）を基準値として記憶しておき、基準値に対する信号値の変化量に基づいて通行者等を検知してもよい。有効検知エリア内の通行者等が検知された場合、センサ制御部３２は、自動ドア装置２に検知信号を出力することで、有効検知エリアにおける検知結果をドア２１の開駆動制御に使用する。
【００２９】
特に、センサ制御部３２は、後述する特殊検知エリア５１Ａにおいて起動用検知アルゴリズムと保護用検知アルゴリズムの二種類の検知アルゴリズムを用いて通行者や物体を検知する。なお、起動用検知アルゴリズムは複数あっても良く、保護用検知アルゴリズムも複数あっても良い。検知アルゴリズムを複数設けることにより、自動ドアセンサ３の設置環境や通行者や物体の状況に応じて、適切な検知アルゴリズムを選択することができる。
【００３０】
なお、センサ制御部３２は、投光部３１１の全ての投光素子に近赤外光を投光させる代わりに、有効検知エリアに対応する投光素子のみに投光を行わせてもよい。この場合、近赤外光が投光された小検知エリア５１の全てが有効検知エリアとなる。有効検知エリアに対応する投光素子のみに投光を行わせることで、電力消費量を削減できる。また投光素子の寿命を長くすることもできる。
【００３１】
（検知エリア５に対応する検知アルゴリズム）
センサ制御部３２は、図２に示すように、検知エリア５を構成する複数の小検知エリア５１の一部として、特殊検知エリア５１Ａを有する。特殊検知エリア５１Ａは、ドア２１の開閉状態にかかわらず、人または物体を検知する起動用検知アルゴリズムと起動用検知アルゴリズムよりも人または物体を検知し易い保護用検知アルゴリズムによる検知が行われ、それぞれの検知アルゴリズムによる検知結果が個別に出力されてドア２１の駆動制御に用いられる。つまり、起動用検知アルゴリズムと保護用検知アルゴリズムとを用いて、同じ特殊検知エリア５１Ａを対象とした検知が行われるようになっている。そのため起動用検知アルゴリズムと保護用検知アルゴリズムとが適用される検知エリアは完全に一致するため、それぞれ独立した検知エリアを有し、当該検知エリアに対して起動用検知アルゴリズムと保護用検知アルゴリズムとが物理的に異なるセンサでそれぞれ個別に実行される場合に比べて、起動用検知アルゴリズムと保護用検知アルゴリズムが適用される検知エリアの位置合わせが不要となる。
【００３２】
起動用検知アルゴリズムは、例えば、通行者等を検知してドア２１を開動作（すなわち、起動）するための検知アルゴリズムである。起動用検知アルゴリズムは、自動ドアシステム１の構造や自動ドアシステム１の設置環境の影響に基づく自動ドアセンサ３の誤検知によるドア２１の誤動作を低減することを主眼に置いた検知アルゴリズムである。起動用検知アルゴリズムは、自動ドアセンサ３の感度が相対的に低い処理、すなわち自動ドアセンサ３が検知した信号値（物理的な値）から人又は物体が存在すると判断するための基準値やアルゴリズムとして、相対的に人又は物体が存在すると判断しづらくなるようなものを用いる。このようなアルゴリズムとして、降雪による誤検知を防止するものや自動ドアセンサ３の周囲を飛翔する昆虫による誤検知を防止するものがある。起動用検知アルゴリズムは、ドア２１の不要な開閉の低減に適している。
本実施例において、検知部３１と起動用検知アルゴリズムを実行するセンサ制御部３２が起動用検知手段を構成する。
【００３３】
保護用検知アルゴリズムは、例えば、ドア２１の近傍に立ち止まる通行者やドア２１の近傍に存在する物体を検知して、閉じるドア２１による挟み込み等のドア２１との衝突から通行者や物体を保護することを主眼に置いた検知アルゴリズムである。保護用検知アルゴリズムは、自動ドアセンサ３の感度が相対的に高い処理、すなわち自動ドアセンサ３が検知した信号値（物理的な値）から人又は物体が存在すると判断するための基準値やアルゴリズムとして、相対的に人又は物体が存在すると判断しやすくなるようなものを用いる。保護用検知アルゴリズムは、安全性の向上に適している。
本実施例において、検知部３１と保護用検知アルゴリズムを実行するセンサ制御部３２が保護用検知手段を構成する。
【００３４】
起動用検知アルゴリズムおよび保護用検知アルゴリズムは、通行者の検知を実行するセンサ制御部３２に記憶されている。
【００３５】
このとき、ドア制御部２３は、起動用検知アルゴリズムによる検知結果に応じた信号である起動用検知アルゴリズムによる検知信号と、保護用検知アルゴリズムによる検知結果に応じた信号である保護用検知アルゴリズムによる検知信号に基づいてドア２１を開閉させる。
なお、ドア制御部２３は、ドア２１が閉動作を行うときに、保護用検知アルゴリズムにより通行者等が検知された場合、ドア２１を開動作させても、ドア２１の閉動作を停止させても、ドア２１を低速閉作動させてもよい。
【００３６】
特殊検知エリア５１Ａにおいては、自動ドアセンサ３の感度が保護用検知アルゴリズムよりも相対的に低い処理である起動用検知アルゴリズムによる検知結果をドア２１の駆動制御に用いることができる。ここで起動用検知アルゴリズムは、自動ドアセンサ３が検知した信号値（物理的な値）から人又は物体が存在すると判断するための基準値やアルゴリズムを、保護用検知アルゴリズムよりも相対的に人又は物体が存在すると判断しづらくなるものを採用したものである。
【００３７】
更に特殊検知エリア５１Ａにおいては、自動ドアセンサ３の感度が起動用検知アルゴリズムよりも相対的に高い処理である保護用検知アルゴリズムによる検知結果をドア２１の駆動制御に用いることができる。ここで、保護用検知アルゴリズムは、自動ドアセンサ３が検知した信号値（物理的な値）から人又は物体が存在すると判断するための基準値（閾値）やアルゴリズムを、起動用検知アルゴリズムよりも相対的に人又は物体が存在すると判断しやすくなるものを採用したものである。
【００３８】
以上より、特殊検知エリア５１Ａにおいては、起動用検知アルゴリズムと保護用検知アルゴリズムの両方の検知アルゴリズムによる検知結果にもとづいて自動ドア装置（ドア制御部２３）が動作するため、ドア２１の不要な開閉の低減と安全性の向上とを両立させることができる。なお、特殊検知エリア５１Ａが特殊検知エリアを構成する。
【００３９】
保護用検知アルゴリズムが適用される検知エリアは、ドア２１から前方に２００ｍｍ以内にあることが規格上要求される。このため、特殊検知エリア５１Ａは、図２に示すようにドア２１からみて２列目と３列目の小検知エリア５１Ａとされている。２列目及び３列目の小検知エリア５１Ａを特殊検知エリア５１Ａとすることで、規格を満足することができるとともに、ドア２１の近傍における安全性をより向上させることができる。なお、小検知エリア５１の大きさに応じて、特殊検知エリア５１Ａとして設定される小検知エリアの列数を任意に変更可能である。
【００４０】
また、センサ制御部３２は、図２に示すように、検知エリア５を構成する複数の小検知エリア５１のうち、特殊検知エリア５１Ａ以外の一部の小検知エリア５１Ｂとして、起動用検知アルゴリズムのみによる検知が行われる起動検知エリア５１Ｂを有していてもよい。起動検知エリア５１Ｂは、起動用検知アルゴリズムおよび保護用検知アルゴリズムの双方による検知が行われ、ドア２１の位置によらず、起動用検知アルゴリズムによる検知結果のみがドア２１の駆動制御に用いられるエリアであってもよい。特殊検知エリア５１Ａは、起動検知エリア５１Ｂよりもドア２１に近い位置に配置されてもよい。図２の例において、起動検知エリア５１Ｂは、４列目〜６列目の小検知エリア５１Ｂである。通行者の立ち止まり等による危険性が低い、ドア２１から離れた位置に起動検知エリア５１Ｂを配置することで、ドア２１から離れた検知エリア５における誤検知を有効に低減することができる。
【００４１】
なお、１列目の小検知エリア５１Ｃは、ドア２１が閉鎖しているときは、起動用検知アルゴリズムのみによる検知が行われ、ドア２１が開放しているときは、ドア２１を通行者等として誤検知しないように無効となるエリアであってもよい。無効とは、検知しても有効な信号として取り扱わない意味と、検知しないように検知動作を停止させる意味とを含む（以下、同様）。
【００４２】
また、センサ制御部３２は、検知エリア５を構成する複数の小検知エリア５１のうち、特殊検知エリア５１Ａおよび起動検知エリア５１Ｂ以外の一部の小検知エリア５１として、保護用検知アルゴリズムのみによる検知が行われる保護検知エリアを有していてもよい。例えば、１列目の小検知エリア５１Ｃを保護検知エリアとしてもよい。なお、１列目の小検知エリア５１Ｃを保護検知エリアとする場合であっても、ドア２１が動いているときは、ドア２１を通行者等として誤検知しないように、１列目の小検知エリア５１Ｃのうちドア２１が存在する位置に対応する小検知エリア５１を無効あるいは感度を起動検知エリア５１Ｂよりも落とす（ドア２１を誤検知しにくくする）ようにしてもよい。このような検知アルゴリズムを本実施例ではドアウェイ用検知アルゴリズムと称する。この場合、特殊検知エリア５１Ｃが第２特殊検知エリアを構成し、検知部３１とドアウェイ用検知アルゴリズムを実行するセンサ制御部３２がドアウェイ用検知手段を構成する。さて、１列目の小検知エリア５１Ｃを保護検知エリアとする場合、特殊検知エリア５１Ａは、起動検知エリア５１Ｂと保護検知エリア５１Ｃとの間に配置される。この場合、特殊検知エリア５１Ａにおける検知アルゴリズムの切り替えに応じて、起動用検知アルゴリズムによる検知が行われる小検知エリア５１または保護用検知アルゴリズムによる検知が行われる小検知エリア５１を拡大することができる。これにより、ドア２１の不要な開閉の低減と安全性の向上とを更に効果的に両立させることができる。
【００４３】
保護用検知アルゴリズムによる検知において、人または物体を検知してから検知された人または物体を静止体（すなわち、背景）と判断して検知対象から除外するまでの静止体検知時間は、起動用検知アルゴリズムによる検知における静止体検知時間よりも長くてもよい。静止体検知時間の具体的な態様は特に限定されない。例えば、起動用検知アルゴリズムにおける静止体検知時間は５秒、保護用検知アルゴリズムにおける静止体検知時間は３０秒であってもよい。保護用検知アルゴリズムにおける静止体検知時間を起動用検知アルゴリズムにおける静止体検知時間より長くすることで、長時間の立ち止まりを検知できるので、安全性を向上することができる。また逆に、起動用検知アルゴリズムにおける静止体検知時間は保護用検知アルゴリズムにおける静止体検知時間より短くすることで、外乱の影響を抑制できるので、ドア２１の不要な開閉を防止することができる。
【００４４】
また、センサ制御部３２は、起動用検知アルゴリズムのみによる検知が行われる退出側の検知エリア（以下、退出側の起動検知エリアとも呼ぶ）と、保護用検知アルゴリズムによる検知が行われる退出側の検知エリア（以下、退出側の保護検知エリアとも呼ぶ）とを有していてもよい。この場合、センサ制御部３２は、退出側の保護検知エリアが非検知となったときに退出側の起動検知エリアを無効にする退出無効制御を行ってもよい。退出無効制御を行うことで、ドア２１の開放時間を最小限に抑えつつ、安全性の低下を抑制することできる。
【００４５】
また、センサ制御部３２は、起動検知エリア５１Ｂにおいて人または物体がドア２１に沿う方向のみに移動していることが検知された場合に起動検知エリア５１Ｂを無効にする横切り無効制御を行ってもよい。「ドア２１に沿う方向」とは、図２の開閉方向ｄ１であってもよく、または、開閉方向ｄ１とのなす角度が閾値以内の方向（すなわち、開閉方向ｄ１と殆ど同じ方向）であってもよい。横切り無効制御を行うことで、より効果的にドア２１の不要な開閉を防止しつつ安全性の低下を抑制することができる。
【００４６】
また、起動用検知アルゴリズムおよび保護用検知アルゴリズムは、それぞれ１種類ずつに限らず、複数種類ずつあってもよい。保護用検知アルゴリズムを複数種類用いる場合、ドア位置の変化やドア制御の状態やセンサの制御状態に応じて保護用検知アルゴリズムを切替えても、複数の保護用検知アルゴリズムを並行して動作させて必要なものを選択してもよい。
【００４７】
（動作例）
次に、自動ドアシステム１の動作例について説明する。図３は、本実施形態による自動ドアシステム１の動作例において、自動ドアセンサ３の動作を示すフローチャートである。図３のフローチャートは、必要に応じて繰り返される。
【００４８】
図３に示すように、先ず、静止体検知時間等の処理に必要なパラメータを読み込み、初期設定をする（ステップＳ１）。次に検知部３１で取得した検知エリア５内から得られた物理的情報を取得する（ステップＳ２）。そして得られた物理的情報に対して起動用検知アルゴリズムを適用し、通行者等が存在するか否かを判断する検知処理を行う（ステップＳ３）。更に得られた物理的情報に対して保護用検知アルゴリズムを適用し、通行者等が存在するか否かを判断する検知処理を行う（ステップＳ４）。更に得られた物理的情報に対してドアウェイ用検知アルゴリズムを適用し、通行者等が存在するか否かを判断する検知処理を行う（ステップＳ５）。次に起動用検知アルゴリズムおよび保護用検知アルゴリズムによる検知処理の結果に基づき、それぞれ独立して検知信号（接点信号）または検知情報（データ通信）が自動ドア装置２に出力される（ステップＳ６）。
【００４９】
特に、特殊検知エリア５１Ａにおいては、同じ物理的情報に対して、起動用検知アルゴリズムと保護用検知アルゴリズムの両方を適用し、通行者等が存在するか否かを判断する検知処理を行う。
【００５０】
ドアウェイ用検知アルゴリズムを適用した検知処理（ステップＳ５）は、必要に応じて削除してもよい。
【００５１】
（検知・背景更新制御）
次にセンサ制御部３２が行う各アルゴリズムで共通の検知制御および静止体検知時間経過後の背景更新制御について、図４のフローチャートを用いて説明する。図４のフローチャートは、必要に応じて繰り返される。
【００５２】
検知・背景更新制御において、先ず、センサ制御部３２は、予め記憶されている受光量記憶値（判断の基準となる背景の値）と、ステップＳ１の初期設定で読み込まれた感度パラメータとに基づいて、通行者が検知されたと判断するための受光量記憶値を基準とした受光量の増加側閾値と減少側閾値とを計算する（ステップＳ２２１）。
【００５３】
図５は、本実施形態による自動ドアシステム１の動作例において、検知・背景更新制御を説明するための説明図である。図５には、小検知エリア５１の検知信号に示される受光量と、受光量記憶値と、感度パラメータと、増加側閾値と、減少側閾値と、検知フラグの状態との対応関係が示されている。図５に示すように、感度パラメータは、自動ドアシステム１の電源投入直後等の所定の時点で取得された受光量記憶値（基準値）に対して、増加側または減少側にどの程度受光量が変化すれば検知状態となるのかを示す受光量の変化量である。感度パラメータが小さいほど、感度が高いことを示す。
【００５４】
図５の例では、受光量記憶値に感度パラメータを加えることで、増加側閾値が得られる。センサ制御部３２は、受光量が増加側閾値以上であれば、その受光量が後述する静止体検知時間以内に変化したものである場合において、検知フラグをオンして通行者等の検知状態となる。また、図５の例では、受光量記憶値から感度パラメータを減じることで、減少側閾値が得られる。センサ制御部３２は、受光量が減少側閾値以下である場合も、その受光量が後述する静止体検知時間以内に変化したものである場合において、検知フラグをオンして通行者等の検知状態となる。一方、センサ制御部３２は、受光量が減少側閾値より大きく増加側閾値より小さい場合は、検知フラグをオフして通行者等の非検知状態となる。検知フラグは、例えば、自動ドア装置２の記憶領域に設定される。
【００５５】
増加側閾値および減少側閾値を計算した後、図４に示すように、センサ制御部３２は、検知信号に示される受光量が増加側閾値以上または減少側閾値以下であるか否かを判定する（ステップＳ２２２）。
【００５６】
受光量が増加側閾値以上または減少側閾値以下でない場合（ステップＳ２２２：Ｎ）、センサ制御部３２は、検知フラグをオフする（ステップＳ２２３）。
【００５７】
一方、受光量が増加側閾値以上または減少側閾値以下である場合（ステップＳ２２２：Ｙ）、センサ制御部３２は、検知信号に示される受光量が、図７のステップＳ２１２で読み込まれた静止体検知時間以上の間、変化がないか否かを判定する（ステップＳ２２４）。
【００５８】
静止体検知時間（背景を更新せずに保持する時間）以内に受光量が変化した場合（ステップＳ２２４：Ｎ）、センサ制御部３２は、検知フラグをオンする（ステップＳ２２５）。  一方、静止体検知時間以上の間、受光量の変化がない場合（ステップＳ２２４：Ｙ）、センサ制御部３２は、検知フラグをオフする（ステップＳ２２６）。検知フラグをオフした後、センサ制御部３２は、受光量記憶値を現在の受光量に更新する（ステップＳ２２７）。
【００５９】
（退出無効制御）
センサ制御部３２は、起動用検知アルゴリズムにおいては、退出無効制御を行っても良いが、保護用検知アルゴリズムにおいては行わない。以下、退出無効制御について説明する。退出無効制御において、先ず、センサ制御部３２は、検知フラグがオンされているか否かを判定する。検知フラグがオンされていない場合、センサ制御部３２は、検知フラグをオフしたまま退出無効制御を終了する。
【００６０】
一方、検知フラグがオンされている場合、センサ制御部３２は、ドア２１の退出側（ドア２１を挟んだ反対側）に設定された小検知エリア５２のうち、退出側の保護検知エリア５２Ａからの検知信号に基づいて、退出側の保護検知エリア５２Ａが非検知状態となったか否かを判定する。
【００６１】
退出側の保護検知エリア５２Ａが非検知状態となっている場合、センサ制御部３２は、検知フラグをオフする。一方、退出側の保護検知エリア５２Ａが非検知状態となっていない場合、センサ制御部３２は、検知フラグをオンしたまま退出無効制御を終了する。
【００６２】
（横切り無効制御）
センサ制御部３２は、起動用検知アルゴリズムにおいては、横切り無効制御を行っても良いが、保護用検知アルゴリズムにおいては行わない。以下、横切り無効制御について説明する。横切り無効制御において、先ず、センサ制御部３２は、検知フラグがオンされているか否かを判定する。検知フラグがオンされていない場合、センサ制御部３２は、検知フラグをオフしたまま横切り無効制御を終了する。
【００６３】
一方、検知フラグがオンされている場合、センサ制御部３２は、検知状態の小検知エリア５１の変化から得られる通行者の移動ベクトルに基づいて、通行者がドア２１の前を横切る方向（すなわち、ドア２１に沿う方向）のみに移動しているか否かを判定する。
【００６４】
通行者がドア２１の前を横切る方向のみに移動している場合、センサ制御部３２は、検知フラグをオフする。一方、通行者がドア２１の前を横切る方向に移動していない場合、センサ制御部３２は、検知フラグをオンしたまま横切り無効制御を終了する。
【００６５】
検知判断において、センサ制御部３２は、検知フラグがオンされているか否かを判定する。検知フラグがオンされていない場合、センサ制御部３２は、通行者等が非検知であると判断する。一方、検知フラグがオンされている場合、センサ制御部３２は、通行者が検知されたと判断する。これらの判断結果は個別に自動ドア装置２に出力される（ステップＳ６）。
【００６６】
以上のようにして、各アルゴリズムによる検知処理が行われる。各アルゴリズムの順序は入れ替わってもよい。また、一部の検知アルゴリズムを省略してもよい。また起動用検知アルゴリズムとドアウェイ用検知アルゴリズムによる検知信号は異なる接点またはデータ通信のパケットの異なるフラグで出力する例を示したが、これに限られず、同じ接点またはデータ通信のパケットの同じフラグで出力しても構わない。同じ接点またはデータ通信のパケットの同じフラグで出力する場合には、配線を少なくすることができる。
【００６７】
本実施形態によれば、特殊検知エリア５１Ａにおいて、起動用検知アルゴリズムによる検知と保護用検知アルゴリズムによる検知の両方を行う。本実施形態によれば、ドアの不要な開閉の低減と安全性の向上とを両立させることができる。
【００６８】
さらに、起動用検知アルゴリズムと保護用検知アルゴリズムとを用いて、同じ特殊検知エリア５１Ａを対象とした検知が行われるようになっているので、それぞれ独立した検知エリアを有し、当該検知エリアに対して起動用検知アルゴリズムと保護用検知アルゴリズムとが物理的に異なるセンサでそれぞれ個別に実行される場合に比べて、起動用検知アルゴリズムと保護用検知アルゴリズムが適用される検知エリアの位置合わせが不要となる。
【００６９】
（第１の変形例）
次に、全閉時のドア２１の戸尻側に位置する固定壁近傍の検知エリア５１Ｄ（第３特殊検知エリア）を有し、検知エリア５１Ｄに対して固定壁側検知アルゴリズムのみによる通行者等の検知を行う第１の変形例について説明する。検知エリア５１Ｄは開動作中のドア２１の戸尻側に通行者等が接触しないように監視するため、固定壁近傍で開状態のドア２１が存在する側に設けられ、その幅は少なくともドア２１の幅よりも大きく、奥行（固定壁に垂直な方向）は少なくともドア２１の厚み以上の大きさである。図６は、本実施形態の第１の変形例による自動ドアシステム１を示すブロック図である。図６に示すように、第１の変形例の自動ドアセンサ３は、他の検知アルゴリズムに加え固定壁側検知アルゴリズムを実行可能なセンサ制御部３２が設けられている。固定壁側検知アルゴリズムは、ドア２１が開動作中（全閉状態を含む）のみに実行される。固定壁側検知アルゴリズムは、図３のフローチャートのステップＳ２以降でステップＳ６以前であればどの段階で実行されても構わない。これによってドア２１の戸尻側の安全性を向上させることができる。本実施例において、検知部３１と固定壁側検知アルゴリズムを実行するセンサ制御部３２が固定壁側検知手段を構成する。固定壁側検知アルゴリズムの実行にあたっては先に検知・背景更新制御で説明したものに準じて検知フラグの設定が行われるため、説明を省略する。
【００７０】
なお、上記に限られず固定壁側検知アルゴリズムは、常時実行されるようにしても構わない。また、ドア２１の位置に応じて検知エリア５１Ｄの幅を動的に変更しても構わない。更にドア２１が戸袋に収納される構造の場合、検知エリア５１Ｄは、通行者の指等が挟みこまれないように監視するため、戸袋の開口部周辺に設けても良い。さらに、各アルゴリズムの順序は入れ替わってもよい。
【００７１】
更に、一部の検知アルゴリズムを省略してもよい。また起動用検知アルゴリズム、ドアウェイ用検知アルゴリズムおよび固定壁側検知アルゴリズムによる検知信号は同じ接点またはデータ通信のパケットの同じフラグで出力する例を示したが、これに限られず、異なる接点またはデータ通信のパケットの異なるフラグで出力してもよく、固定壁側検知アルゴリズムによる検知信号は保護用検知アルゴリズムによる検知信号と同じ接点またはデータ通信のパケットの同じフラグで出力しても構わない。
【００７２】
第１の変形例においても、ドアの不要な開閉の低減と安全性の向上とを両立させることができる。また、第１の変形例においても、起動用検知アルゴリズムと保護用検知アルゴリズムとを用いて、同じ特殊検知エリア５１Ａを対象とした検知が行われるようになっているので、それぞれ独立した検知エリアを有し、当該検知エリアに対して起動用検知アルゴリズムと保護用検知アルゴリズムとが物理的に異なるセンサでそれぞれ個別に実行される場合に比べて、起動用検知アルゴリズムと保護用検知アルゴリズムが適用される検知エリアの位置合わせが不要となる。更に、第１の変形例によれば、固定壁側（ドア２１の戸尻側）の安全性の向上も図ることができる。
【００７３】
（第２の変形例）
次に、撮像画像に基づいた検知を行う第２の変形例について説明する。図７は、本実施形態の第２の変形例による自動ドアシステム１を示すブロック図である。図７に示すように、第２の変形例の自動ドアセンサ３は、投光部３１１および受光部３１２の代わりに、検知部の一例として撮像部３１３を有する。撮像部３１３は、例えば、可視光域に感度を有するＣＣＤもしくはＣＭＯＳカメラである。撮像部３１３は、赤外線領域に感度を有する赤外線カメラであってもよい。
【００７４】
撮像部３１３は、検知エリア５を撮像し、検知エリア５の撮像画像を示す検知信号をセンサ制御部３２に出力する。センサ制御部３２は、撮像部３１３から入力された検知信号に基づいて通行者等を検知し、通行者等の検知信号を自動ドア装置２に出力する。
【００７５】
第２の変形例においては、撮像部３１３によって高精度な撮像画像を取得でき、これに基づいて通行者等を高精度に検知できるので、ドアの不要な開閉の低減と安全性の向上とを更に有効に両立させることができる。また、第２の変形例においても、起動用検知アルゴリズムと保護用検知アルゴリズムとを用いて、同じ特殊検知エリア５１Ａを対象とした検知が行われるようになっているので、それぞれ独立した検知エリアを有し、当該検知エリアに対して起動用検知アルゴリズムと保護用検知アルゴリズムとが物理的に異なるセンサでそれぞれ個別に実行される場合に比べて、起動用検知アルゴリズムと保護用検知アルゴリズムが適用される検知エリアの位置合わせが不要となる。
【００７６】
（第３の変形例）
次に、電波によるドップラー効果を用いた検知を行う第３の変形例について説明する。
図８は、本実施形態の第３の変形例による自動ドアシステム１を示すブロック図である。
図８に示すように、第３の変形例の自動ドアセンサ３は、電波送受信部３１４を有する。
電波送受信部３１４は、検知エリア５に対して電波を発信し、発信した電波と検知エリア５に存在する通行者等からの反射波との干渉波を検出する。そして、電波送受信部３１４は、干渉波を示す検知信号をセンサ制御部３２に出力する。センサ制御部３２は、電波送受信部３１４から入力された検知信号に基づいて通行者等を検知し、通行者等の検知信号を自動ドア装置２に出力する。
【００７７】
第３の変形例においても、ドアの不要な開閉の低減と安全性の向上とを両立させることができる。また、第３の変形例においても、起動用検知アルゴリズムと保護用検知アルゴリズムとを用いて、同じ特殊検知エリア５１Ａを対象とした検知が行われるようになっているので、それぞれ独立した検知エリアを有し、当該検知エリアに対して起動用検知アルゴリズムと保護用検知アルゴリズムとが物理的に異なるセンサでそれぞれ個別に実行される場合に比べて、起動用検知アルゴリズムと保護用検知アルゴリズムが適用される検知エリアの位置合わせが不要となる。
【００７８】
（第４の変形例）
次に、引き分けタイプの引戸に対する特殊検知エリアおよび起動検知エリアのより具体的な適用例について説明する。図９Ａは、本実施形態の第４の変形例による自動ドアセンサの検知エリアとして、引き分けタイプの引戸に適用される全閉時における検知エリアを示す平面図である。図９Ｂは、本実施形態の第４の変形例による自動ドアセンサの検知エリアとして、引き分けタイプの引戸に適用される全開時における検知エリアを示す平面図である。
【００７９】
図９Ａに示すように、センサ制御部３２（図１等参照）は、全閉状態の２枚のドア２１の前方（図９Ａにおける下方）に、図２で説明した特殊検知エリア５１Ａを有する。また、センサ制御部３２は、特殊検知エリア５１Ａよりも全閉状態のドア２１から前方に離れた位置に、図２で説明した起動検知エリア５１Ｂを有する。また、センサ制御部３２は、引き分けタイプの引戸におけるドア２１の移動経路すなわちドアウェイ上に、図２で説明した第２特殊検知エリア５１Ｃを有する。また、センサ制御部３２は、固定壁２１１および第２特殊検知エリア５１Ｃの前方に、第１の変形例で説明した第３特殊検知エリア５１Ｄを有する。
【００８０】
第４の変形例において、センサ制御部３２は、全閉時には、図９Ａに示される第２特殊検知エリア５１Ｃにおいて、ドアウェイ用検知アルゴリズムおよび固定壁側検知アルゴリズムによる検知を行う。この場合、センサ制御部３２は、ドアウェイ用検知アルゴリズムおよび固定壁側検知アルゴリズムによる検知結果をまとめて出力してもよい。また、センサ制御部３２は、図９Ａに示される第３特殊検知エリア５１Ｄにおいて、固定壁側検知アルゴリズムによる検知を行う。また、センサ制御部３２は、図９Ａに示される特殊検知エリア５１Ａおよび起動検知エリア５１Ｂにおいて、起動用検知アルゴリズムによる検知を行う。
【００８１】
一方、センサ制御部３２は、全開時には、図９Ｂに示される第２特殊検知エリア５１Ｃにおいて、ドアウェイ用検知アルゴリズムおよび閉保護用検知アルゴリズムによる検知を行う。この場合、ドアウェイ用検知アルゴリズムおよび閉保護用検知アルゴリズムによる検知結果は、まとめて出力してもよい。ここで、閉保護用検知アルゴリズムとは、保護用検知アルゴリズムの一態様であり、ドア２１が閉じるときにドア２１の開口部に立ち止まる通行者や物体を検知して、閉じるドア２１による挟み込み等のドア２１との衝突から通行者や物体を保護するための検知アルゴリズムである。また、センサ制御部３２は、図９Ｂに示される第３特殊検知エリア５１Ｄおよび起動検知エリア５１Ｂにおいて、起動用検知アルゴリズムによる検知を行う。また、センサ制御部３２は、図９Ｂに示される特殊検知エリア５１Ａにおいて、起動用検知アルゴリズムおよび閉保護用検知アルゴリズムによる検知を行う。
【００８２】
第４の変形例によれば、引き分けタイプの引戸において、ドアの不要な開閉の低減と安全性の向上とを両立させることができるとともに、固定壁側（ドア２１の戸尻側）の安全性の向上も図ることができる。また、第４の変形例においても、起動用検知アルゴリズムと保護用検知アルゴリズムとを用いて、同じ特殊検知エリア５１Ａを対象とした検知が行われるようになっているので、それぞれ独立した検知エリアを有し、当該検知エリアに対して起動用検知アルゴリズムと保護用検知アルゴリズムとが物理的に異なるセンサでそれぞれ個別に実行される場合に比べて、起動用検知アルゴリズムと保護用検知アルゴリズムが適用される検知エリアの位置合わせが不要となる。
【００８３】
（第５の変形例）
次に、折戸の一例であるフォールディングドアに対する特殊検知エリアおよび起動検知エリアの具体的な適用例について説明する。図１０Ａは、本実施形態の第５の変形例による自動ドアセンサの検知エリアとして、フォールディングドアに適用される全閉時における検知エリアを示す平面図である。図１０Ｂは、本実施形態の第５の変形例による自動ドアセンサの検知エリアとして、フォールディングドアに適用される全開時における検知エリアを示す平面図である。
【００８４】
図１０Ａに示すように、センサ制御部３２（図１等参照）は、左右の側壁２１２に軸支されたフォールディングドアにおける２つのドア２１のそれぞれの移動経路上に、略扇形状の２つの第２特殊検知エリア５１Ｃを有する。また、センサ制御部３２は、２つの第２特殊検知エリア５１Ｃの間のドア２１の前方に、特殊検知エリア５１Ａを有する。また、センサ制御部３２は、特殊検知エリア５１Ａよりもドア２１から離れた位置に、起動検知エリア５１Ｂを有する。
【００８５】
第５の変形例において、センサ制御部３２は、全閉時には、図１０Ａに示される第２特殊検知エリア５１Ｃにおいて、ドアウェイ用検知アルゴリズムおよび開保護用検知アルゴリズムによる検知を行う。また、センサ制御部３２は、図１０Ａに示される特殊検知エリア５１Ａにおいて、起動用検知アルゴリズムおよび開保護用検知アルゴリズムによる検知を行う。ここで、開保護用検知アルゴリズムとは、保護用検知アルゴリズムの一態様であり、ドア２１が開くときにドア２１と固定壁との間に進入する通行者や物体を検知して、開くドア２１による挟み込み等のドア２１との衝突から通行者や物体を保護する検知アルゴリズムである。また、センサ制御部３２は、図１０Ａに示される起動検知エリア５１Ｂにおいて、起動用検知アルゴリズムによる検知を行う。
【００８６】
一方、センサ制御部３２は、全開時には、図１０Ｂに示される第２特殊検知エリア５１Ｃにおいて、ドアウェイ用検知アルゴリズムおよび閉保護用検知アルゴリズムによる検知を行う。また、センサ制御部３２は、図１０Ｂに示される特殊検知エリア５１Ａにおいて、起動用検知アルゴリズムおよび閉保護用検知アルゴリズムによる検知を行う。また、センサ制御部３２は、図１０Ｂに示される起動検知エリア５１Ｂにおいて、起動用検知アルゴリズムによる検知を行う。
【００８７】
第５の変形例によれば、フォールディングドアにおいて、ドアの不要な開閉の低減と安全性の向上とを両立させることができる。また、第５の変形例においても、起動用検知アルゴリズムと保護用検知アルゴリズムとを用いて、同じ特殊検知エリア５１Ａを対象とした検知が行われるようになっているので、それぞれ独立した検知エリアを有し、当該検知エリアに対して起動用検知アルゴリズムと保護用検知アルゴリズムとが物理的に異なるセンサでそれぞれ個別に実行される場合に比べて、起動用検知アルゴリズムと保護用検知アルゴリズムが適用される検知エリアの位置合わせが不要となる。
【００８８】
（第６の変形例）
次に、折戸の他の一例であるグライドドアすなわちバランスドアに対する特殊検知エリアおよび起動検知エリアの具体的な適用例について説明する。図１１Ａは、本実施形態の第６の変形例による自動ドアセンサの検知エリアとして、グライドドアに適用される全閉時における検知エリアを示す平面図である。図１１Ｂは、本実施形態の第６の変形例による自動ドアセンサの検知エリアとして、グライドドアに適用される全開時における検知エリアを示す平面図である。
【００８９】
図１１Ａに示すように、センサ制御部３２（図１等参照）は、グライドドアにおける２つのドア２１のそれぞれの移動経路上に、第２特殊検知エリア５１Ｃ−１、５１Ｃ−２を有する。図１１Ａの例において、ドア２１は、全閉状態のドア２１の位置に対して戸先２１ａが後方（図１１Ａにおける上方）に突出し、かつ、戸尻２１ｂが前方（図１１Ａにおける下方）に突出するように開閉動作する。このため、第２特殊検知エリア５１Ｃ、５１Ｃ−１、５１Ｃ−２は、全閉状態のドア２１上の第２特殊検知エリア５１Ｃと、前方側の第２特殊検知エリア５１Ｃ−１と、後方側の第２特殊検知エリア５１Ｃ−２とを有する。また、センサ制御部３２は、２つの前方側の第２特殊検知エリア５１Ｃ−１の間のドア２１の前方に、前方側の特殊検知エリア５１Ａ−１を有する。また、センサ制御部３２は、前方側の特殊検知エリア５１Ａ−１よりもドア２１から前方に離れた位置に、前方側の起動検知エリア５１Ｂ−１を有する。また、センサ制御部３２は、２つの後方側の第２特殊検知エリア５１Ｃ−２の後方に、後方側の特殊検知エリア５１Ａ−２を有する。また、センサ制御部３２は、後方側の特殊検知エリア５１Ａ−２よりもドア２１から後方に離れた位置に、後方側の起動検知エリア５１Ｂ−２を有する。
【００９０】
第６の変形例において、センサ制御部３２は、全閉時には、図１１Ａに示される第２特殊検知エリア５１Ｃ、５１Ｃ−１、５１Ｃ−２において、ドアウェイ用検知アルゴリズムおよび開保護用検知アルゴリズムによる検知を行う。また、センサ制御部３２は、図１１Ａに示される特殊検知エリア５１Ａ−１、５１Ａ−２において、起動用検知アルゴリズムおよび開保護用検知アルゴリズムによる検知を行う。また、センサ制御部３２は、図１１Ａに示される起動検知エリア５１Ｂ−１、５１Ｂ−２において、起動用検知アルゴリズムによる検知を行う。
【００９１】
一方、センサ制御部３２は、全開時には、図１１Ｂに示される第２特殊検知エリア５１Ｃ、５１Ｃ−１、５１Ｃ−２において、ドアウェイ用検知アルゴリズムおよび閉保護用検知アルゴリズムによる検知を行う。また、センサ制御部３２は、図１１Ｂに示される特殊検知エリア５１Ａ−１、５１Ａ−２において、起動用検知アルゴリズムおよび閉保護用検知アルゴリズムによる検知を行う。また、センサ制御部３２は、図１１Ｂに示される起動検知エリア５１Ｂ−１、５１Ｂ−２において、起動用検知アルゴリズムによる検知を行う。
【００９２】
第６の変形例によれば、グライドドアにおいて、ドアの不要な開閉の低減と安全性の向上とを両立させることができる。さらに、特殊検知エリア５１Ａ−１と同様に、起動用検知アルゴリズムと保護用検知アルゴリズムとを用いて、同じ特殊検知エリア５１Ａ−２を対象とした検知が行われるようになっているので、それぞれ独立した検知エリアを有し、当該検知エリアに対して起動用検知アルゴリズムと保護用検知アルゴリズムとが物理的に異なるセンサでそれぞれ個別に実行される場合に比べて、起動用検知アルゴリズムと保護用検知アルゴリズムが適用される検知エリアの位置合わせが不要となる。
【００９３】
（第７の変形例）
次に、開き戸に対する特殊検知エリアおよび起動検知エリアの具体的な適用例について説明する。図１２Ａは、本実施形態の第７の変形例による自動ドアセンサの検知エリアとして、開き戸に適用される全閉時における検知エリアを示す平面図である。図１２Ｂは、本実施形態の第７の変形例による自動ドアセンサの検知エリアとして、開き戸に適用される全開時における検知エリアを示す平面図である。
【００９４】
図１２Ａに示すように、センサ制御部３２（図１等参照）は、左右の側壁２１２に軸支された開き戸における２つのドア２１のそれぞれの移動経路上に、略扇形状の２つの第２特殊検知エリア５１Ｃを有する。また、センサ制御部３２は、２つの第２特殊検知エリア５１Ｃの間のドア２１の前方に、特殊検知エリア５１Ａを有する。また、センサ制御部３２は、特殊検知エリア５１Ａよりもドア２１から離れた位置に、起動検知エリア５１Ｂを有する。
【００９５】
第７の変形例において、センサ制御部３２は、全閉時には、図１２Ａに示される第２特殊検知エリア５１Ｃにおいて、ドアウェイ用検知アルゴリズムおよび開保護用検知アルゴリズムによる検知を行う。また、センサ制御部３２は、図１２Ａに示される特殊検知エリア５１Ａにおいて、起動用検知アルゴリズムおよび開保護用検知アルゴリズムによる検知を行う。また、センサ制御部３２は、図１２Ａに示される起動検知エリア５１Ｂにおいて、起動用検知アルゴリズムによる検知を行う。
【００９６】
一方、センサ制御部３２は、全開時には、図１２Ｂに示される第２特殊検知エリア５１Ｃにおいて、ドアウェイ用検知アルゴリズムおよび閉保護用検知アルゴリズムによる検知を行う。また、センサ制御部３２は、図１２Ｂに示される特殊検知エリア５１Ａにおいて、起動用検知アルゴリズムおよび閉保護用検知アルゴリズムによる検知を行う。また、センサ制御部３２は、図１２Ｂに示される起動検知エリア５１Ｂにおいて、起動用検知アルゴリズムによる検知を行う。
【００９７】
第７の変形例によれば、開き戸において、ドアの不要な開閉の低減と安全性の向上とを両立させることができる。また、第７の変形例においても、起動用検知アルゴリズムと保護用検知アルゴリズムとを用いて、同じ特殊検知エリア５１Ａを対象とした検知が行われるようになっているので、それぞれ独立した検知エリアを有し、当該検知エリアに対して起動用検知アルゴリズムと保護用検知アルゴリズムとが物理的に異なるセンサでそれぞれ個別に実行される場合に比べて、起動用検知アルゴリズムと保護用検知アルゴリズムが適用される検知エリアの位置合わせが不要となる。
【００９８】
（第８の変形例）
次に、回転戸に対する特殊検知エリアおよび起動検知エリアの具体的な適用例について説明する。図１３Ａは、本実施形態の第８の変形例による自動ドアセンサの検知エリアとして、回転戸に適用される戸挟時における検知エリアを示す平面図である。図１３Ｂは、本実施形態の第８の変形例による自動ドアセンサの検知エリアとして、回転戸に適用される通行時における検知エリアを示す平面図である。
【００９９】
図１３Ａに示すように、センサ制御部３２（図１等参照）は、出入口２１２ａが設けられた筒状のケーシング２１２の内部で回転する回転戸のドア２１の移動経路上に、第２特殊検知エリア５１Ｃを有する。また、センサ制御部３２は、第２特殊検知エリア５１Ｃに隣接する出入口２１２ａの外側に、特殊検知エリア５１Ａを有する。また、センサ制御部３２は、特殊検知エリア５１Ａよりもドア２１から外側に離れた位置に、起動検知エリア５１Ｂを有する。
【０１００】
第８の変形例において、センサ制御部３２は、戸挟時には、図１３Ａに示される第２特殊検知エリア５１Ｃにおいて、ドアウェイ用検知アルゴリズムおよび戸挟保護用検知アルゴリズムによる検知を行う。ここで、戸挟保護用検知アルゴリズムとは、保護用検知アルゴリズムの一態様であり、ドア２１の戸挟部に進入する通行者や物体を検知して、回転するドア２１による挟み込み等のドア２１との衝突から通行者や物体を保護する検知アルゴリズムである。また、センサ制御部３２は、図１３Ａに示される特殊検知エリア５１Ａにおいて、起動用検知アルゴリズムおよび戸挟保護用検知アルゴリズムによる検知を行う。また、センサ制御部３２は、図１３Ａに示される起動検知エリア５１Ｂにおいて、起動用検知アルゴリズムによる検知を行う。
【０１０１】
一方、センサ制御部３２は、通行時には、図１３Ｂに示される第２特殊検知エリア５１Ｃにおいて、ドアウェイ用検知アルゴリズムによる検知を行う。また、センサ制御部３２は、図１３Ｂに示される特殊検知エリア５１Ａおよび起動検知エリア５１Ｂにおいて、起動用検知アルゴリズムによる検知を行う。
【０１０２】
第８の変形例によれば、回転戸において、ドアの不要な開閉の低減と安全性の向上とを両立させることができる。また、第８の変形例においても、起動用検知アルゴリズムと保護用検知アルゴリズムとを用いて、同じ特殊検知エリア５１Ａを対象とした検知が行われるようになっているので、それぞれ独立した検知エリアを有し、当該検知エリアに対して起動用検知アルゴリズムと保護用検知アルゴリズムとが物理的に異なるセンサでそれぞれ個別に実行される場合に比べて、起動用検知アルゴリズムと保護用検知アルゴリズムが適用される検知エリアの位置合わせが不要となる。
【０１０３】
自動ドアセンサ３は、上述した赤外線、画像、電波の代わりに、超音波や測距式センサを用いても良い。
【０１０４】
本発明の態様は、上述した個々の実施形態に限定されるものではなく、例えば、起動用検知手段としての起動用検知アルゴリズムおよび保護用検知手段としての保護用検知アルゴリズムを用いる代わりに物理的に別体であるが検知エリアが重なっている起動用センサ装置と保護用センサ装置を用いても良い。この場合、起動用センサ装置は通行者または物体を検知する機能は起動用検知アルゴリズムと同等であり、例えば遠赤外線方式のセンサ装置であり、保護用センサ装置は通行者または物体を検知する機能は保護用検知アルゴリズムと同等であり、例えば近赤外線方式のセンサ装置である。なお、起動用センサ装置が電波方式のセンサ装置であり、保護用センサ装置が近赤外線方式のセンサ装置であっても良い。
【０１０５】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【０１０６】
１  自動ドアシステム、３  自動ドアセンサ、３１  検知部、３２  センサ制御部、５１Ａ  特殊検知エリア、５１Ｃ  第２特殊検知エリア、５１Ｄ  第３特殊検知エリア
【図１】
2018123673.tif 000003
【図２】
2018123673.tif 000004
【図３】
2018123673.tif 000005
【図４】
2018123673.tif 000006
【図５】
2018123673.tif 000007
【図６】
2018123673.tif 000008
【図７】
2018123673.tif 000009
【図８】
2018123673.tif 000010
【図９Ａ】
2018123673.tif 000011
【図９Ｂ】
2018123673.tif 000012
【図１０Ａ】
2018123673.tif 000013
【図１０Ｂ】
2018123673.tif 000014
【図１１Ａ】
2018123673.tif 000015
【図１１Ｂ】
2018123673.tif 000016
【図１２Ａ】
2018123673.tif 000017
【図１２Ｂ】
2018123673.tif 000018
【図１３Ａ】
2018123673.tif 000019
【図１３Ｂ】
2018123673.tif 000020